(57)【要約】      （修正有）【課題】帯域分割点を適切に決定することができる処理装置、処理方法、及びプログラムを提供する。【解決手段】処理装置２００は、オーディオ信号用のフィルタの周波数特性を取得する周波数特性取得部２１１と、周波数特性を平滑化して、平滑化特性を求める平滑化処理部２１２と、平滑化特性のボトム位置に基づいて、分割候補点を決定する候補点決定部２１３と、分割候補点から１つ以上の帯域分割点を決定する分割点決定部２１４と、を備える。【選択図】図２
2019062430.tif 000002
【特許請求の範囲】
【請求項１】
オーディオ信号用のフィルタの周波数特性を取得する周波数特性取得部と、
前記周波数特性を平滑化して、平滑化特性を求める平滑化処理部と、
前記平滑化特性のボトム位置に基づいて、複数の分割候補点を決定する候補点決定部と、
前記複数の分割候補点に基づいて、１つ以上の帯域分割点を決定する分割点決定部と、を備えた処理装置。
【請求項２】
前記分割点決定部が、前記ボトム位置または前記ボトム位置に隣接するピーク位置における前記平滑化特性の値に基づいて、前記帯域分割点を決定する請求項１に記載の処理装置。
【請求項３】
前記帯域分割点で再生信号を帯域分割する帯域分割部と、
帯域分割された前記再生信号に基づいて、パラメータを算出するパラメータ算出部と、
前記パラメータを用いて、前記再生信号のダイナミックレンジ圧縮を行うダイナミックレンジ圧縮部と、をさらに備えた請求項１、又は２に記載の処理装置。
【請求項４】
前記フィルタを用いて頭外定位処理が行われた再生信号に対して、前記ダイナミックレンジ圧縮を行う請求項３に記載の処理装置。
【請求項５】
オーディオ信号用のフィルタの周波数特性を取得するステップと、
前記周波数特性を平滑化して、平滑化特性を求めるステップと、
前記平滑化特性のボトム位置に基づいて、複数の分割候補点を決定するステップと、
前記複数の分割候補点に基づいて、１つ以上の帯域分割点を決定するステップと、を含む処理方法。
【請求項６】
コンピュータに対して、処理方法を実行させるプログラムであって、
前記処理方法は、
オーディオ信号用のフィルタの周波数特性を取得するステップと、
前記周波数特性を平滑化して、平滑化特性を求めるステップと、
前記平滑化特性のボトム位置に基づいて、複数の分割候補点を決定するステップと、
前記分割候補点に基づいて、１つ以上の帯域分割点を決定するステップと、を含む、プログラム。
【発明の詳細な説明】
【技術分野】
【０００１】
本発明は、処理装置、処理方法、及びプログラムに関する。
【背景技術】
【０００２】
特許文献１には、音響信号の信号レベルを調整する音響処理装置が開示されている。特許文献１の音響処理装置は、入力音響信号の信号レベルの変動幅（ダイナミックレンジ）を減少させて、出力音響信号を生成する効果付与装置（コンプレッサ）として機能する。
【０００３】
具体的には、音響処理装置は、音響信号をＮ個の帯域成分に、帯域分割している。そして、音響処理装置は、Ｎ個の帯域に対応するＮ個の調整値（候補値）を可変に設定している。音響処理装置は、Ｎ個の調整値から信号調整に適用される調整値Ｇを選択している。調整値Ｇが入力音響信号から出力音響信号の生成に適用される。
【先行技術文献】
【特許文献】
【０００４】
【特許文献１】特開２０１２−１００１９５号公報
【発明の概要】
【発明が解決しようとする課題】
【０００５】
しかしながら、特許文献１には、帯域分割を行う際において、帯域の境界となる周波数（以下、帯域分割点とする）を決定する方法についてはなんら開示されていない。帯域分割点を任意に決めた場合、適切な信号処理が行うことができないおそれがある。
【０００６】
例えば、音像定位技術として、ヘッドホンを用いて受聴者の頭部の外側に音像を定位させる頭外定位技術がある。頭外定位技術では、ヘッドホンから耳までの特性をキャンセルし、ステレオスピーカから耳までの４本の特性（空間音響伝達特性）を与えることにより、音像を頭外に定位させている。
【０００７】
頭外定位再生においては、２チャンネル（以下、ｃｈと記載）のスピーカから発した測定信号（インパルス音等）を聴取者本人の耳に設置したマイクロフォン（以下、マイクとする）で録音する。そして、インパルス応答で得られた収音信号に基づいて、処理装置がフィルタを作成する。作成したフィルタを２ｃｈのオーディオ信号に畳み込むことにより、頭外定位再生を実現することができる。
【０００８】
頭外定位処理に用いられるフィルタは、ユーザ個人の特性に基づくため、帯域分割点が適切でないと、頭外定位処理による効果を十分に得ることができない場合がある。したがって、頭外定位による効果を損なわないように、帯域分割点を適切に設定する方法が望まれる。
【０００９】
本発明は上記の点に鑑みなされたもので、帯域分割点を適切に設定することができる処理装置、処理方法、及びプログラムを提供することを目的とする。
【課題を解決するための手段】
【００１０】
本実施形態にかかる処理装置は、オーディオ信号用のフィルタの周波数特性を取得する周波数特性取得部と、前記周波数特性を平滑化して、平滑化特性を求める平滑化処理部と、前記平滑化特性のボトム位置に基づいて、複数の分割候補点を決定する候補点決定部と、前記複数の分割候補点に基づいて、１つ以上の帯域分割点を決定する分割点決定部と、を備えたものである。
【００１１】
本実施形態にかかる処理方法は、オーディオ信号用のフィルタの周波数特性を取得するステップと、前記周波数特性を平滑化して、平滑化特性を求めるステップと、前記平滑化特性のボトム位置に基づいて、複数の分割候補点を決定するステップと、前記複数の分割候補点に基づいて、１つ以上の帯域分割点を決定するステップと、を含むものである。
【００１２】
本実施形態にかかる処理装置は、コンピュータに対して、処理方法を実行させるプログラムであって、前記処理方法は、オーディオ信号用のフィルタの周波数特性を取得するステップと、前記周波数特性を平滑化して、平滑化特性を求めるステップと、前記平滑化特性のボトム位置に基づいて、複数の分割候補点を決定するステップと、前記複数の分割候補点に基づいて、１つ以上の帯域分割点を決定するステップと、を含むものである。
【発明の効果】
【００１３】
本発明によれば、帯域分割点を適切に決定することができる処理装置、処理方法、及びプログラムを提供することができる。
【図面の簡単な説明】
【００１４】
【図１】本実施の形態に係る頭外定位処理装置を示すブロック図である。
【図２】ダイナミックレンジ圧縮処理を行う処理装置の構成を示す制御ブロック図である。
【図３】フィルタの周波数特性を示すグラフである。
【図４】平滑化された周波数特性を示すグラフである。
【図５】処理方法を示すフローチャートである。
【図６】処理方法を示すフローチャートである。
【発明を実施するための形態】
【００１５】
本実施の形態にかかる信号処理装置で生成したフィルタを用いた音像定位処理の概要について説明する。本実施形態にかかる頭外定位処理は、空間音響伝達特性と外耳道伝達特性を用いて頭外定位処理を行うものである。空間音響伝達特性は、スピーカなどの音源から外耳道までの伝達特性である。外耳道伝達特性は、外耳道入口から鼓膜までの伝達特性である。本実施形態では、ヘッドホン又はイヤホンを装着していない状態での空間音響伝達特性を測定し、かつ、ヘッドホン又はイヤホンを装着した状態での外耳道伝達特性を測定し、それらの測定データを用いて頭外定位処理を実現している。
【００１６】
本実施の形態にかかる頭外定位処理は、パーソナルコンピュータ、スマートホン、タブレットＰＣなどのユーザ端末で実行される。ユーザ端末は、プロセッサ等の処理手段、メモリやハードディスクなどの記憶手段、液晶モニタ等の表示手段、タッチパネル、ボタン、キーボード、マウスなどの入力手段を有する情報処理装置である。ユーザ端末は、データを送受信する通信機能を有していてもよい。さらに、ユーザ端末には、ヘッドホン又はイヤホンを有する出力手段（出力ユニット）が接続される。
【００１７】
実施の形態１．
（頭外定位処理装置）
本実施の形態にかかる音場再生装置の一例である頭外定位処理装置１００を図１に示す。図１は、頭外定位処理装置１００のブロック図である。頭外定位処理装置１００は、ヘッドホン４３を装着するユーザＵに対して音場を再生する。そのため、頭外定位処理装置１００は、ＬｃｈとＲｃｈのステレオ入力信号ＸＬ、ＸＲについて、音像定位処理を行う。ＬｃｈとＲｃｈのステレオ入力信号ＸＬ、ＸＲは、ＣＤ（Compact Disc）プレイヤーなどから出力されるアナログのオーディオ再生信号、又は、mp3(MPEG Audio Layer-3)等のデジタルオーディオデータである。なお、オーディオ再生信号、又はデジタルオーディオデータをまとめて再生信号と称する。すなわち、ＬｃｈとＲｃｈのステレオ入力信号ＸＬ、ＸＲが再生信号となっている。
【００１８】
なお、頭外定位処理装置１００は、物理的に単一な装置に限られるものではなく、一部の処理が異なる装置で行われてもよい。例えば、一部の処理がパソコンなどにより行われ、残りの処理がヘッドホン４３に内蔵されたＤＳＰ(Digital Signal Processor)などにより行われてもよい。
【００１９】
頭外定位処理装置１００は、頭外定位処理部１０、フィルタ部４１、フィルタ部４２、及びヘッドホン４３を備えている。頭外定位処理部１０、フィルタ部４１、及びフィルタ部４２は、具体的にはプロセッサ等により実現可能である。
【００２０】
頭外定位処理部１０は、畳み込み演算部１１〜１２、２１〜２２、及び加算器２４、２５を備えている。畳み込み演算部１１〜１２、２１〜２２は、空間音響伝達特性を用いた畳み込み処理を行う。頭外定位処理部１０には、ＣＤプレイヤーなどからのステレオ入力信号ＸＬ、ＸＲが入力される。頭外定位処理部１０には、空間音響伝達特性が設定されている。頭外定位処理部１０は、各ｃｈのステレオ入力信号ＸＬ、ＸＲに対し、空間音響伝達特性のフィルタ（以下、空間音響フィルタとも称する）を畳み込む。空間音響伝達特性は被測定者の頭部や耳介で測定した頭部伝達関数ＨＲＴＦでもよいし、ダミーヘッドまたは第三者の頭部伝達関数であってもよい。
【００２１】
４つの空間音響伝達特性Ｈｌｓ、Ｈｌｏ、Ｈｒｏ、Ｈｒｓを１セットとしたものを空間音響伝達関数とする。畳み込み演算部１１、１２、２１、２２で畳み込みに用いられるデータが空間音響フィルタとなる。空間音響伝達特性Ｈｌｓ、Ｈｌｏ、Ｈｒｏ、Ｈｒｓを所定のフィルタ長で切り出すことで、空間音響フィルタが生成される。
【００２２】
空間音響伝達特性Ｈｌｓ、Ｈｌｏ、Ｈｒｏ、Ｈｒｓのそれぞれは、インパルス応答測定などにより、事前に取得されている。例えば、ユーザＵが左右の耳にマイクをそれぞれ装着する。ユーザＵの前方に配置された左右のスピーカが、インパルス応答測定を行うための、インパルス音をそれぞれ出力する。そして、スピーカから出力されたインパルス音等の測定信号をマイクで収音する。マイクでの収音信号に基づいて、空間音響伝達特性Ｈｌｓ、Ｈｌｏ、Ｈｒｏ、Ｈｒｓが取得される。左スピーカと左マイクとの間の空間音響伝達特性Ｈｌｓ、左スピーカと右マイクとの間の空間音響伝達特性Ｈｌｏ、右スピーカと左マイクとの間の空間音響伝達特性Ｈｒｏ、右スピーカと右マイクとの間の空間音響伝達特性Ｈｒｓが測定される。
【００２３】
そして、畳み込み演算部１１は、Ｌｃｈのステレオ入力信号ＸＬに対して空間音響伝達特性Ｈｌｓに応じた空間音響フィルタを畳み込む。畳み込み演算部１１は、畳み込み演算データを加算器２４に出力する。畳み込み演算部２１は、Ｒｃｈのステレオ入力信号ＸＲに対して空間音響伝達特性Ｈｒｏに応じた空間音響フィルタを畳み込む。畳み込み演算部２１は、畳み込み演算データを加算器２４に出力する。加算器２４は２つの畳み込み演算データを加算して、フィルタ部４１に出力する。
【００２４】
畳み込み演算部１２は、Ｌｃｈのステレオ入力信号ＸＬに対して空間音響伝達特性Ｈｌｏに応じた空間音響フィルタを畳み込む。畳み込み演算部１２は、畳み込み演算データを、加算器２５に出力する。畳み込み演算部２２は、Ｒｃｈのステレオ入力信号ＸＲに対して空間音響伝達特性Ｈｒｓに応じた空間音響フィルタを畳み込む。畳み込み演算部２２は、畳み込み演算データを、加算器２５に出力する。加算器２５は２つの畳み込み演算データを加算して、フィルタ部４２に出力する。
【００２５】
フィルタ部４１、４２にはヘッドホン特性（ヘッドホンの再生ユニットとマイク間の特性）をキャンセルする逆フィルタが設定されている。そして、頭外定位処理部１０での処理が施された再生信号（畳み込み演算信号）に逆フィルタを畳み込む。フィルタ部４１で加算器２４からのＬｃｈ信号に対して、Ｌｃｈ側のヘッドホン特性の逆フィルタを畳み込む。同様に、フィルタ部４２は加算器２５からのＲｃｈ信号に対して、Ｒｃｈ側のヘッドホン特性の逆フィルタを畳み込む。逆フィルタは、ヘッドホン４３を装着した場合に、ヘッドホンユニットからマイクまでの特性をキャンセルする。マイクは、外耳道入口から鼓膜までの間ならばどこに配置してもよい。逆フィルタは、後述するように、ユーザＵ本人の特性の測定結果から算出されている。
【００２６】
フィルタ部４１は、処理されたＬｃｈ信号ＹＬをヘッドホン４３の左ユニット４３Ｌに出力する。フィルタ部４２は、処理されたＲｃｈ信号ＹＲをヘッドホン４３の右ユニット４３Ｒに出力する。ユーザＵは、ヘッドホン４３を装着している。ヘッドホン４３は、Ｌｃｈ信号ＹＬとＲｃｈ信号ＹＲ（以下、Ｌｃｈ信号ＹＬとＲｃｈ信号をまとめてステレオ信号ともいう）をユーザＵに向けて出力する。これにより、ユーザＵの頭外に定位された音像を再生することができる。また、後述するようにステレオ信号ＹＬ、ＹＲには、ＤＲＣ処理が施される。
【００２７】
このように、頭外定位処理装置１００は、空間音響伝達特性Ｈｌｓ、Ｈｌｏ、Ｈｒｏ、Ｈｒｓに応じた空間音響フィルタと、ヘッドホン特性の逆フィルタを用いて、頭外定位処理を行っている。以下の説明において、空間音響伝達特性Ｈｌｓ、Ｈｌｏ、Ｈｒｏ、Ｈｒｓに応じた空間音響フィルタと、ヘッドホン特性の逆フィルタとをまとめて頭外定位処理フィルタとする。２ｃｈのステレオ再生信号の場合、頭外定位フィルタは、４つの空間音響フィルタと、２つの逆フィルタとから構成されている。そして、頭外定位処理装置１００は、ステレオ再生信号に対して合計６個の頭外定位フィルタを用いて畳み込み演算処理を行うことで、頭外定位処理を実行する。頭外定位フィルタは、ユーザＵ個人の測定に基づくものであることが好ましい。例えば，ユーザＵの耳に装着されたマイクが収音した収音信号に基づいて、頭外定位フィルタが設定されている。
【００２８】
このように空間音響フィルタと、ヘッドホン特性の逆フィルタはオーディオ信号用のフィルタである。これらのフィルタが再生信号（ステレオ入力信号ＸＬ、ＸＲ）に畳み込まれることで、頭外定位処理装置１００が、頭外定位処理を実行する。さらに、本実施の形態では、再生信号に対して、処理装置が、ダイナミックレンジ圧縮（Ｄｙｎａｍｉｃ  Ｒａｎｇｅ  Ｃｏｍｐｒｅｓｓｉｏｎ：ＤＲＣ）処理を行っている。すなわち、ＤＲＣ処理が行われた再生信号に対して、頭外定位処理部１０が頭外定位処理を行っている。
【００２９】
以下、図２を参照して、再生信号に対して、ＤＲＣ処理を行う処理装置２００について説明する。処理装置２００は、周波数特性取得部２１１と、平滑化処理部２１２と、候補点決定部２１３と、分割点決定部２１４と、再生信号入力部２２１と、帯域分割部２２２と、パラメータ設定部２２３、ＤＲＣ処理部２２４，再生信号出力部２２５と、を備えている。再生信号はオーディオ用の信号であり、具体的には、図１において、フィルタ部４１、４２から出力されるステレオ信号ＹＬ、ＹＲとなる。
【００３０】
なお、処理装置２００は、頭外定位処理装置１００と同じ装置であってもよく、異なる装置であってもよい。例えば、単一の頭外定位処理装置１００が、図２に示す各制御ブロックを備えていてもよい。頭外定位処理装置１００と処理装置２００とが物理的に異なる装置である場合、処理装置２００が、ＤＲＣ処理を行った再生信号を、頭外定位処理装置１００に出力する。
【００３１】
さらに、処理装置２００の一部が、頭外定位処理装置１００に設けられていてもよい。この場合、例えば、ＤＲＣ処理部２２４、及び再生信号出力部２２５が頭外定位処理装置１００に設けられていてもよい。そして、処理装置２００が、ＤＲＣ処理のためのパラメータを頭外定位処理装置１００に出力する。
【００３２】
周波数特性取得部２１１は、フィルタの周波数特性を取得する。なお、フィルタは、ヘッドホン特性の逆フィルタでもよく、空間音響伝達特性Ｈｌｓ、Ｈｌｏ、Ｈｒｏ、Ｈｒｓに応じた空間音響フィルタでもよい。すなわち、周波数特性取得部２１１は、頭外定位処理フィルタの少なくとも一つの周波数特性を取得する。
【００３３】
周波数特性取得部２１１は、ＦＦＴ（高速フーリエ変換）により、時間領域のフィルタから周波数領域のスペクトルを算出する。これにより、フィルタの振幅特性（振幅スペクトル）と、位相特性（位相スペクトル）が生成される。なお、振幅スペクトルの代わりにパワースペクトルを生成してもよい。なお、周波数特性取得部２１１は、離散フーリエ変換や離散コサイン変換により、フィルタを周波数領域のデータ（周波数特性）に変換することができる。もちろん、頭外定位処理装置１００が周波数特性を処理装置２００に出力してもよい。
【００３４】
なお、ステレオの再生信号を用いるため、処理装置２００は、Ｌｃｈ信号ＹＬとＲｃｈ信号ＹＲに対して同様の処理を行う。例えば、Ｌｃｈの場合、フィルタ部４１に格納された逆フィルタ、又は、畳み込み演算部１１に格納された空間音響伝達特性Ｈｌｓのフィルタを用いることができる。また、Ｒｃｈの場合、フィルタ部４２に格納された逆フィルタ、又は畳み込み演算部２１に格納された空間音響伝達特性Ｈｒｓのフィルタを用いることができる。あるいは、ＬｃｈとＲｃｈとで共通の帯域分割点を設定してもよい。
【００３５】
図３は、フィルタの周波数振幅特性（振幅スペクトル）を示すグラフである。図３は、横軸が周波数（Ｈｚ）であり、縦軸が振幅［ｄＢ］となっている。
【００３６】
平滑化処理部２１２は、周波数特性を平滑化して、平滑化特性を求める。すなわち、周波数特性に対して平滑化処理が施された特性が平滑化特性となる。例えば、包絡線検出法やスプライン曲線を用いた近似法などの手法を用いることができる。なお、平滑化の手法は特に限定されるものではない。
【００３７】
候補点決定部２１３は、平滑化特性のボトム位置に基づいて、帯域分割点の候補となる候補点を決定する。候補点決定部２１３は、平滑化特性の極小値（ボトム）をとる点（周波数）を候補点とする。例えば、候補点決定部２１３は、平滑化特性の傾きを算出して、傾きが負から正に切り替わる点を候補点とする。候補点決定部２１３が抽出する候補点の数は、１つであってもよく、２以上であってもよい。
【００３８】
図４は、平滑化処理部２１２で平滑化処理が平滑化特性を模式的に示すグラフである。図４において、ｆ１、ｆ３、ｆ５が平滑化特性の極小値（ボトム）の周波数、すなわち、候補点となっている。また、ｆ２、ｆ４、ｆ６は、平滑化特性の極大値（ピーク）の周波数となっている。ここで、周波数ｆ１〜ｆ６の振幅値をそれぞれＡ１〜Ａ６とする。振幅値Ａ３は振幅値Ａ１より小さく、振幅値Ａ１は、振幅値Ａ５より小さくなっている。
【００３９】
分割点決定部２１４は、候補点から１つ以上の帯域分割点を決定する。帯域分割点は、帯域を分割するための境界となる周波数である。なお、帯域分割点の数は、分割する帯域の数によって決まるものであり、特に限られるものではない。例えば、２つの帯域に分割する場合、帯域分割点は１つとなり、３つの帯域に分割する場合、帯域分割点は２つとなる。以下、候補点から分割点を決定する方法の４つの例について、説明する。
【００４０】
第１の例として、分割点決定部２１４は、全ての候補点を帯域分割点とすることができる。すなわち、平滑化特性から抽出された全ての極小値が帯域分割点となる。例えば、図４の平滑化特性では、周波数ｆ１、周波数ｆ３、及び周波数ｆ５が帯域分割点となる。この場合、分割する帯域数は４となる。従って、最小周波数〜周波数ｆ１の帯域が第１の帯域、周波数ｆ１〜周波数ｆ３が第２の帯域、周波数ｆ３〜ｆ５が第３の帯域、周波数ｆ５〜最高周波数が第４の帯域となる。
【００４１】
第２の例として、分割点決定部２１４は、平滑化特性の振幅値が最小の候補点を帯域分割点とする。上記した図４の平滑化特性では、振幅値Ａ３が最小であるため、周波数ｆ３が、帯域分割点となる。第２の例は、分割点数が１の場合、すなわち、分割する帯域数が２の場合に適用される。したがって、最小周波数〜周波数ｆ３の帯域が第１の帯域、周波数ｆ３〜最高周波数が第２の帯域となる。
【００４２】
第３の例として、分割点決定部２１４は、平滑化特性の振幅値に基づいて、帯域分割点を決定する。例えば、振幅値が小さい候補点から順に、必要な分割点数だけ抽出して、帯域分割点とする。必要な分割点数が２である場合、図４に示す平滑化特性では、周波数ｆ３と周波数ｆ１とが、帯域分割点となる。したがって、最小周波数〜周波数ｆ１の帯域が第１の帯域、周波数ｆ１〜ｆ３が第２の帯域、周波数ｆ３〜最高周波数が第３の帯域となる。もちろん、必要な分割点数は、２に限られるものではなく、分割する帯域数に応じて、適宜変更可能である。分割点数は１であってもよく、２以上であってもよい。
【００４３】
このように、第２の例と第３の例とでは、分割点決定部２１４は、候補点における平滑化特性の特性値（振幅値）に基づいて、帯域分割点を決定している。なお、特性値は、振幅値に限らず、パワー値であってもよい。例えば、周波数特性取得部２１１が周波数特性として、パワースペクトルを取得した場合、パワー値を特性値としてもよい。この場合、パワー値が小さい候補点が帯域分割点とされる。
【００４４】
第４の例として、分割点決定部２１４は、候補点の特性値と、ピーク位置（ピーク周波数）における特性値とに基づいて、帯域分割点を決定している。例えば、候補点の隣のピーク位置における特性値（振幅値）を用いて、候補点の振幅値を重み付けする。周波数ｆ１の候補点は、ピーク周波数ｆ２の振幅値Ａ２で重み付けされる。周波数ｆ３の候補点は、ピーク周波数ｆ４の振幅値Ａ４で重み付けされる。周波数ｆ５の候補点は、ピーク周波数ｆ６の振幅値Ａ６で重み付けされる。
【００４５】
そして、分割点決定部２１４は、重み付けされた特性値を評価値として、評価値が小さい順に、必要な分割点数だけ抽出して、帯域分割点を決定する。上記した図４の平滑化特性において、周波数ｆ１の候補点では、振幅値Ａ１が振幅値Ａ２で重み付けされるため、重み付けされた評価値は、（Ａ１）／（Ａ２）となる。同様に、周波数ｆ３の候補点では、振幅値Ａ３が振幅値Ａ４で重み付けされるため、重み付けされた評価値は、（Ａ３）／（Ａ４）となる。周波数ｆ５の候補点では、振幅値Ａ５が振幅値Ａ６で重み付けされるため、重み付けされた評価値は、（Ａ５）／（Ａ６）となる。
【００４６】
このように、極小値の特性値が小さいほど、評価値が小さくなる。また、極大値の特性値が大きいほど、評価値が小さくなる。そして、評価値が小さいほど、優先的に分割点となる。ここで、（Ａ３）／（Ａ４）が（Ａ５）／（Ａ６）よりも小さく、（Ａ５）／（Ａ６）が（Ａ１）／（Ａ２）よりも小さいとする。そして、必要な分割点数が２である場合、周波数ｆ３の候補点と、周波数ｆ５の候補点が、帯域分割点となる。この場合、最小周波数〜周波数ｆ３までの帯域が第１の帯域となり、周波数ｆ３〜周波数ｆ５の帯域が第２の帯域となり、周波数ｆ５〜最高周波数の帯域が第３の帯域となる。
【００４７】
なお、上記の例では、極小値と隣接する２つの極大値のうち、極小値よりも高い周波数の極大値で重み付けを行うことで、評価値を算出しているが、評価値の算出は、上記の例に限られるものではない。極小値と隣接する２つの極大値のうち、極小値よりも低い周波数の極大値を用いて、候補点決定部２１３が重み付けを行ってもよい。隣接する２つの極大値の両方を用いて、候補点決定部２１３が重み付けを行ってもよい。例えば、極小値と隣接する２つの極大値から代表値を求めて、代表値で重み付けを行ってもよい。極小値と隣接する２つの極大値の平均値や最大値や中央値を代表値として、候補点決定部２１３が重み付けを行ってもよい。
【００４８】
分割点決定部２１４は、決定した帯域分割点を帯域分割部２２２に出力する。上記の通り、分割点決定部２１４は、ＬｃｈとＲｃｈに対して、別々に帯域分割点を決定してもよい。あるいは、分割点決定部２１４は、ＬｃｈとＲｃｈで同じ帯域分割点を決定してもよい。なお、上記の例１〜例４では、全帯域の中から帯域分割点を決定したが、任意の周波数区間に対して、上記の処理を行って、帯域分割点を決定してもよい。すなわち、予め設定された一部の周波数区間では、帯域分割点を抽出しないようにしてもよい。
【００４９】
再生信号入力部２２１は、ステレオの再生信号を帯域分割部２２２、及びＤＲＣ処理部２２４にそれぞれ入力する。帯域分割部２２２は、分割点決定部２１４で決定された帯域分割点において、フィルタ部４１、４２からのステレオ信号ＹＬ、ＹＲを帯域分割する。帯域分割部２２２は、ＦＦＴ等によって再生信号の周波数特性を求める。すなわち、帯域分割部２２２は、再生信号のフレーム毎に周波数特性を算出して、周波数特性を複数の帯域に分割する。周波数特性取得部２１１は、帯域分割点を境界の周波数として、周波数特性を帯域分割する。これにより、周波数特性が、２以上の帯域成分に分割される。
【００５０】
パラメータ設定部２２３は、帯域分割された再生信号に基づいて、ＤＲＣ処理のためのパラメータを設定する。パラメータ設定部２２３は、例えば、ＤＲＣの圧縮率、アタック時間、リリース時間などをパラメータとして設定する。パラメータ設定部２２３は、分割された帯域成分のそれぞれに対して、最大信号レベルとしきい値とのレベル差を求める。そして、パラメータ設定部２２３は、２以上の帯域の中から、レベル差が最大となる帯域を求める。パラメータ設定部２２３は、レベル差が最大となる帯域に基づいて、ＤＲＣ調整用のパラメータを設定する。
【００５１】
例えば、第１〜第３の帯域に帯域分割する場合、第１〜第３の帯域のそれぞれに対して、帯域成分の最大信号レベルを求める。最大信号レベルは、各帯域において、最大の振幅値である。そして、パラメータ設定部２２３は、最大信号レベルとしきい値とのレベル差が最大となる帯域を決定する。パラメータ設定部２２３は、レベル差が最大となる帯域のパラメータを選択する。例えば、第２の帯域におけるレベル差が第１の帯域及び第３の帯域におけるレベル差よりも大きい場合、パラメータ設定部２２３は、第２の帯域の特性からパラメータを算出する。パラメータ設定部２２３は、第２の帯域における最大信号レベル等からパラメータを設定する。
【００５２】
ここで、パラメータは応答特性を決める調整値であり、例えば、圧縮率、アタック時間、リリース時間である。もちろん、パラメータは圧縮率、アタック時間、リリース時間に限られるものではない。パラメータ設定部２２３は、帯域分割された複数の帯域のうちの１つの帯域の信号（特性）に基づいて、パラメータを設定している。そして、パラメータ設定部２２３は設定したパラメータをＤＲＣ処理部２２４に出力する。これにより、ＤＲＣ処理におけるパラメータが設定される。なお、ＤＲＣ処理のパラメータはＬｃｈとＲｃｈのそれぞれに共通であってもよく、別々に設定されていてもよい。
【００５３】
ＤＲＣ処理部２２４は、設定されたパラメータに基づいて、再生信号に対してＤＲＣ処理を行う。例えば、再生信号の信号レベルがしきい値を下回った場合、ＤＲＣ処理部２２４は、圧縮率を１とする。一方、再生信号の信号レベルがしきい値を越えた場合、ＤＲＣ処理部２２４は、アタック時間後、圧縮率を設定して、再生信号を抑制する。すなわち、ＤＲＣ処理部２２４は、アタック時間後に、設定された圧縮率で再生信号を圧縮する。そして、その状態からしきい値を下回った場合、リリース時間を経過するまで圧縮を継続する。そして、リリース時間経過後、圧縮率を１としてＤＲＣ処理を停止する。このように、再生信号の信号レベルがしきい値を超えた場合、ＤＲＣ処理部２２４は、設定されたパラメータでダイナミックレンジ圧縮を行う。
【００５４】
そして、再生信号出力部２２５は、ＤＲＣ処理部２２４においてＤＲＣ処理が施された再生信号をヘッドホン４３に出力する。ヘッドホン４３はＤＲＣ処理が施された再生信号をユーザＵに出力する。これにより、ＤＲＣ処理が施されたステレオ信号を用いて、頭外定位処理装置１００が頭外定位処理を実施する。
【００５５】
上記の処理により、適切に分割点を決定することができるため、フィルタ効果を損なうことなく適切なＤＲＣ処理を行うことができる。例えば、頭外定位処理では、特定の周波数が強調されるようなフィルタ処理が行われる。この場合、ＤＲＣ処理の帯域分割点を任意に決めてしまうと、音量としては適切となるが、フィルタの効果を弱めてしまうことがある。また、ＤＲＣ処理を行わない場合、フィルタと入力信号との組み合わせによっては、頭外定位処理において必要以上に特定の周波数成分が強調され、信号がクリップしてしまうことがある。本実施の形態のように、フィルタの周波数特性に基づいて帯域分割点を決定することで、頭外定位処理を適切に行うことができる。特にユーザＵに対する個人測定により求められたフィルタを用いて帯域分割点を決定することで、頭外定位処理の効果をより向上させることができる。
【００５６】
さらに、平滑化特性のボトム位置（極小値）を候補点として、分割点が決定されている。このため、フィルタによって強調される周波数を含む帯域に分割することができ、フィルタ効果を損なわない帯域に分割することができる。ＤＲＣ処理のパラメータを適切に設定することができる。
【００５７】
第４の例のようにボトム位置（極小値）とピーク位置（極大値）の平滑化特性の値に基づいて、評価値を求めることで、より適切な帯域に分割することができる。例えば、評価値に基づいて帯域分割点を決定することで、ボトムとピークとの差が大きい帯域に分割することができる。これにより、ＤＲＣ処理のパラメータを適切に設定することができる。また、分割点数を適切な数にすることができる。多数の分割点を設ける必要がないため、ＤＲＣ処理における処理量を削減することができる。
【００５８】
次に、図５、及び図６を用いて、本実施の形態にかかる処理方法の一例について、説明する。図５、及び図６は、本実施の形態にかかる処理方法を示すフローチャートである。図５、図６に示す処理では、極小値の振幅値を隣接する極大値の振幅値で重み付けした評価値を用いて、帯域分割点を決定している。
【００５９】
まず、周波数特性取得部２１１がフィルタの周波数特性を取得するために、周波数変換を行う（Ｓ１０１）。例えば、周波数特性取得部２１１が離散フーリエ変換を行うことで、時間領域のフィルタｆ［ｔ］が周波数特性Ｆ［ｗ］に変換される。なお、ｗは周波数特性における周波数のデータ点を示す整数（以下、周波数点ともいう）であり、具体的には、ｗは、１、２、３，・・・、Ｗｍａｘとなっている。したがって、ｗは周波数特性における周波数に対応する。例えば、ｗの数が大きくなるほど、周波数が高くなる。
【００６０】
平滑化処理部２１２が周波数特性Ｆ［ｗ］を平滑化する（Ｓ１０２）。例えば、平滑化処理部２１２が包絡線検出法やスプライン曲線を用いた近似法により、周波数特性Ｆ［ｗ］を平滑化する。これにより、平滑化特性ｓＦ［ｗ］が得られる。
【００６１】
候補点決定部２１３が、平滑化特性ｓＦ［ｗ］を微分する（Ｓ１０３）。これにより、平滑化特性ｓＦ［ｗ］から、微分特性ｓＦ’［ｗ］が得られる。微分特性ｓＦ’［ｗ］は、平滑化特性ｓＦ［ｗ］の傾きを示す。
【００６２】
次に、候補点決定部２１３は、ｗを１からＷｍａｘまで、１ずつインクリメントしていくループ処理を行う（Ｓ１０４）。ｗのループ処理は、以下に示すように、平滑化特性ｓＦ［ｗ］の極値を検索する処理である。
【００６３】
ｗのループ処理において、まず、候補点決定部２１３は、ｓＦ’［ｗ］＊ｓＦ’［ｗ＋１］が０より小さいか否かを判定する（Ｓ１０５）。隣接する２つの微分値の符号が異なっているか否かを判定することで、平滑化特性ｓＦ［ｗ］の極値を抽出することができる。すなわち、微分特性ｓＦ’［ｗ］の連続する２つの値のうち、一方が正の値であり、他方が負の値である場合、ｓＦ’［ｗ］＊ｓＦ’［ｗ＋１］が０より小さくなり、平滑化特性ｓＦ［ｗ］が極値となる。微分特性ｓＦ’［ｗ］の連続する２つの値のうち、両方が正の値である場合、又は両方が負の値である場合、ｓＦ’［ｗ］＊ｓＦ’［ｗ＋１］が０以上となり、平滑化特性ｓＦ［ｗ］が極値とならない。
【００６４】
ｓＦ’［ｗ］＊ｓＦ’［ｗ＋１］が０より小さいと判定された場合（Ｓ１０５：ＹＥＳ）、候補点決定部２１３が、ｓＦ’［ｗ］がｓＦ’［ｗ＋１］よりも大きいか否かを判定する（Ｓ１０６）。
【００６５】
ｓＦ’［ｗ］がｓＦ’［ｗ＋１］よりも大きいと判定された場合（Ｓ１０６：ＹＥＳ）、候補点決定部２１３が、ｗ＝ｐｏｉｎｔ［ｎ］、ｓＦ［ｗ］＝ｖａｌｕｅ［ｎ］とする（Ｓ１０７）。ｐｏｉｎｔ［ｎ］は、極値をとる周波数点となり、ｖａｌｕｅ［ｎ］は、極値における平滑化特性の振幅値となる。後述するように、ｖａｌｕｅ［ｎ］は、分割点を求めるための評価値を示す。また、ｎは、平滑化特性の極値の数を示す値（１以上の整数）となる。
【００６６】
ｓＦ’［ｗ］がｓＦ’［ｗ＋１］よりも大きいと判定された場合、平滑化特性ｓＦ［ｗ］が極大値となる。すなわち、ｓＦ’［ｗ］が正、かつ、ｓＦ’［ｗ＋１］が負となるため、平滑化特性ｓＦ［ｗ］が極大値となる。ステップＳ１０７では、候補点決定部２１３が、極大値をとるｗとその平滑化特性ｓＦ［ｗ］の値がそれぞれ、ｐｏｉｎｔ［ｎ］、ｖａｌｕｅ［ｎ］としてメモリなどに記憶する。そして、候補点決定部２１３は、ｎをインクリメントする（Ｓ１１０）。そして、候補点決定部２１３は、ｗをインクリメントして、ｗのループ処理を継続する（Ｓ１１１）。したがって、候補点決定部２１３は、Ｓ１０５に戻り、次の極値を検索する。
【００６７】
ｓＦ’［ｗ］がｓＦ’［ｗ＋１］よりも大きくないと判定された場合（Ｓ１０６：ＮＯ）、候補点決定部２１３が、ｗ＝ｐｏｉｎｔ［ｎ］とし、−ｓＦ［ｗ］＝ｖａｌｕｅ［ｎ］とする（Ｓ１０８）。ｓＦ’［ｗ］がｓＦ’［ｗ＋１］よりも小さい場合、平滑化特性ｓＦ［ｗ］が極小値となる。すなわち、ｓＦ’［ｗ］が負、かつ、ｓＦ’［ｗ＋１］が正となるため、平滑化特性ｓＦ［ｗ］が極小値となる。よって、ステップＳ１０８では、候補点決定部２１３が、極小値をとる周波数点ｗとその平滑化特性ｓＦ［ｗ］の符号を負にした値をそれぞれ、ｐｏｉｎｔ［ｎ］、ｖａｌｕｅ［ｎ］としてメモリなどに記憶する。そして、候補点決定部２１３は、ｎをインクリメントする（Ｓ１１０）。
【００６８】
ｓＦ’［ｗ］＊ｓＦ’［ｗ＋１］が０より小さいと判定された場合（Ｓ１０５：ＮＯ）、あるいは、ｎをインクリメントした場合（Ｓ１１０）、ｗをインクリメントして、ループ処理を繰り返す（Ｓ１１１）。したがって、候補点決定部２１３は、全周波数点に対して、Ｓ１０５〜Ｓ１１０の処理を実施する。ここでは、ｗがＷｍａｘに到達するまで、候補点決定部２１３は、ｗのループ処理を継続する。これより、候補点決定部２１３が、平滑化特性の全ての極大値、及び極小値を抽出することができる。候補点決定部２１３は、全ての極値の周波数点、及び振幅値を記憶する。なお、平滑化特性が極大値の場合、ｖａｌｕｅ［ｎ］は正の値となり、平滑化特性が極小値の場合、ｖａｌｕｅ［ｎ］は負の値となる。
【００６９】
ｗのループ処理では、候補点決定部２１３はｗがＷｍａｘに到達するまで、Ｓ１０５〜Ｓ１１１の処理を実施する。これにより、全ての極値を検索することができる。なお、極値の数はｎとなっている。
【００７０】
ｗのループ処理が終了すると、候補点決定部２１３は、ｍ（０以上の整数）を０からｎまで、１ずつインクリメントしていくループ処理を実施する（Ｓ１１２）。なお、ｎは上記の通り、極値の数を示す値である。ｍのループ処理は、以下に示すように、極値に重み付けを行う処理である。
【００７１】
ｍのループ処理においては、まず、候補点決定部２１３が、ｖａｌｕｅ［ｍ］が０より小さいか否かを判定する（Ｓ１１３）。極小値である場合、ｖａｌｕｅ［ｍ］が振幅値の負値であるため、ｖａｌｕｅ［ｍ］が０より小さくなる。よって、Ｓ１１３では、極値が極小値であるか、極大値であるかを判定している。
【００７２】
候補点決定部２１３が、ｖａｌｕｅ［ｍ］が０より小さい場合（Ｓ１１３：ＹＥＳ）、ｖａｌｕｅ［ｍ］＝ｖａｌｕｅ［ｍ］／（ｖａｌｕｅ［ｍ−１］＋ｖａｌｕｅ［ｍ＋１］）とする（Ｓ１１４）。ｖａｌｕｅ［ｍ］が０より小さい場合、極小値となるため、候補点決定部２１３が、重み付けを行うことで、評価値を算出する。すなわち、極小値の振幅値（ｖａｌｕｅ［ｍ］）を、極小値と隣接する２つの極大値の振幅値（ｖａｌｕｅ［ｍ−１］、ｖａｌｕｅ［ｍ＋１］）で重み付けを行うことで、評価値を求める。これにより、評価値ｖａｌｕｅ［ｍ］を求めることができる。そして、候補点決定部２１３は、ｍのループ処理を継続する（Ｓ１１６）。すなわち、候補点決定部２１３は、Ｓ１１２に戻り、次の極値について評価値を求める。
【００７３】
ｖａｌｕｅ［ｍ］が０より小さくないと判定された場合（Ｓ１１３：ＮＯ）、極値が候補点とならないため、候補点決定部２１３が、ｍのループ処理を継続する（Ｓ１１５）。すなわち、ｖａｌｕｅ［ｍ］が極大値となっているため、評価値を求めるための重み付けを行う必要がない。したがって、候補点決定部２１３は、ｍのループ処理を継続する（Ｓ１１６）。すなわち、候補点決定部２１３は、Ｓ１１２に戻り、次の極値（極小値）について評価値を求める。
【００７４】
ｍのループ処理では、ｍがｎに到達するまで、候補点決定部２１３は、Ｓ１１２〜Ｓ１１５の処理を実施する。これにより、全ての極値の評価値ｖａｌｕｅ［１］〜ｖａｌｕｅ［ｎ］を求めることができる。
【００７５】
ｍのループ処理が終了すると、候補点決定部２１３は、ｋ（０以上の整数）を０からｎまで、１ずつインクリメントしていくループ処理を実施する（Ｓ１１６）。ｋのループ処理は、極小値を候補点として抽出する処理である。
【００７６】
ｋのループ処理では、まず、候補点決定部２１３は、ｖａｌｕｅ［ｋ］が０より小さいか否かを判定する（Ｓ１１７）。ｖａｌｕｅ［ｋ］が０より小さいと判定された場合（Ｓ１１７：ＹＥＳ）、候補点決定部２１３は、ｂａｎｄ＿ｖａｌ（ｌ）＝−ｖａｌｕｅ［ｋ］とし、ｂａｎｄ＿ｐｏｉｎｔ（ｌ）＝ｐｏｉｎｔ［ｋ］とする（Ｓ１１８）。ｂａｎｄ＿ｐｏｉｎｔ（ｌ）は、候補点の周波数に対応する周波数点であり、ｂａｎｄ＿ｖａｌ（ｌ）はその周波数点における評価値である。また、ｌは候補点の数、すなわち、極小値の数を示す整数である。ｌの初期値は１となっている。ｖａｌｕｅ［ｋ］が０より小さい場合、極小値であるので、候補点決定部２１３は、極値（極小値）を候補点と決定する。そして、候補点決定部２１３は、ｌをインクリメントする（Ｓ１１９）。候補点決定部２１３は、ｋをインクリメントして、ループ処理を繰り返す（Ｓ１２０）。
【００７７】
ｖａｌｕｅ［ｋ］が０より小さくないと判定された場合（Ｓ１１７：ＮＯ）、候補点決定部２１３は、ｋをインクリメントして、ループ処理を繰り返す（Ｓ１２０）。ｖａｌｕｅ［ｋ］が０より小さくない場合、極大値であるので、極値が候補点とならない。そして、ｋが極値の数（ｎ）に到達するまで、ｋのループ処理を行う。すなわち、全ての極値に対して、Ｓ１１６〜Ｓ１２０の処理を実施する。これにより、全ての極小値が候補点として抽出される。ここで、候補点の数はｌとなっている。
【００７８】
次に、分割点決定部２１４は、ｐ（０以上の整数）を０〜ｌまで、１ずつインクリメントしていくループ処理を実施する（Ｓ１２１）。ｐのループ処理は、候補点から分割点を決定する処理である。具体的には、複数の候補点の中で、最も評価値の低い１つの候補点が分割点となっている。
【００７９】
まず、分割点決定部２１４は、ｂａｎｄ＿ｖａｌ（ｐ）が最小値ｍｉｎよりも小さいか否かを判定する（Ｓ１２２）。なお、最小値ｍｉｎは、評価値の最小値を示す値となる。また、最小値ｍｉｎの初期値は、全ての評価値ｂａｎｄ＿ｖａｌ（１）〜ｂａｎｄ＿ｖａｌ（ｌ）よりも高い値としておけばよい。
【００８０】
ｂａｎｄ＿ｖａｌ（ｐ）が最小値ｍｉｎよりも小さいと判定された場合（Ｓ１２２：ＹＥＳ）、分割点決定部２１４は、ｍｉｎ＝ｂａｎｄ＿ｖａｌ（ｐ）とし、ｍｉｎ＿ｐｏｉｎｔ（ｐ）＝ｂａｎｄ＿ｐｏｉｎｔ（ｐ）とする（Ｓ１２３）。ｍｉｎ＿ｐｏｉｎｔ（ｐ）は、分割点の周波数点を示している。そして、分割点決定部２１４は、ｐのループを継続する（Ｓ１２４）。
【００８１】
ｂａｎｄ＿ｖａｌ（ｐ）が最小値ｍｉｎよりも小さくないと判定された場合（Ｓ１２２：ＮＯ）、分割点決定部２１４は、ｐをインクリメントして、ループ処理を繰り返す（Ｓ１２４）。ｐがｌに到達するまで、ループ処理を繰り返すことで、評価値が最小となる候補点が求められる。そして、分割点決定部２１４は、評価値が最小となる候補点を分割点として決定する。
【００８２】
このような処理により、分割点を決定することができる。極大値（ピーク）の値により、極小値の値を重み付けしているため、適切な分割点を決定することができる。隣接する極大値と極小値の差が大きい候補点を分割点とすることができる。もちろん、分割点の数は１に限らず、２以上の所定数であってもよい。この場合、評価値が小さい候補点から順番に所定数だけ抽出して、分割点とすることができる。
【００８３】
上記の処理により、適切に分割点を決定することができるため、フィルタ効果を損なうことなく適切なＤＲＣ処理を行うことができる。もちろん、上記の処理の各ステップは、適宜順番を変更して、実行することも可能である。
【００８４】
上記処理のうちの一部又は全部は、コンピュータプログラムによって実行されてもよい。上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ)、ＥＰＲＯＭ（Ｅｒａｓａｂｌｅ  ＰＲＯＭ)、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８５】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【００８６】
Ｕ  ユーザ
１０  頭外定位処理部
１１  畳み込み演算部
１２  畳み込み演算部
２１  畳み込み演算部
２２  畳み込み演算部
２４  加算器
２５  加算器
４１  フィルタ部
４２  フィルタ部
４３  ヘッドホン
２００  処理装置
２１１  周波数特性取得部
２１２  平滑化処理部
２１３  候補点決定部
２１４  分割点決定部
２２１  再生信号入力部
２２２  帯域分割部
２２３  パラメータ設定部
２２４  ＤＲＣ処理部
２２５  再生信号出力部
【図１】
2019062430.tif 000003
【図２】
2019062430.tif 000004
【図３】
2019062430.tif 000005
【図４】
2019062430.tif 000006
【図５】
2019062430.tif 000007
【図６】
2019062430.tif 000008